(57)【要約】【課題】振動が皮膚等で吸収されることがなく、使用者に明りょうな音声を伝達することができるようにする。【解決手段】体内埋込型スピーカ１は、音声信号を送信する送信用コイル８を有する送信装置２と、この送信装置２からの信号を受信する受信装置３と、を備えた。そして、受信装置３は、皮膚Ｓと骨Ｂの間に埋め込まれる中空のケース１１及びこのケース１１内に収納されると共に振動可能に支持された振動体１２からなる。これにより、使用者の骨に受信装置３からの振動を伝達することができ、使用者に明りょうな音声を伝達することができる。【選択図】図３
2010118877.tif 000002
【特許請求の範囲】
【請求項１】
音声信号を送信する送信用コイルを有する送信装置と、
皮膚と骨の間に埋め込まれる中空のケース及び該ケース内に収納される共に振動可能に支持された振動体とを有し、前記送信装置からの信号を受信する受信装置と、
を備えた体内埋込型スピーカ。
【請求項２】
前記振動体は、磁性体からなり、前記ケース内に弾性を有する支持部材を介して振動可能に支持されている
請求項１に記載の体内埋込型スピーカ。
【請求項３】
前記振動体は、圧電素子からなり、前記ケース内に基板を介して振動可能に支持されている
請求項１に記載の体内埋込型スピーカ。
【発明の詳細な説明】
【技術分野】
【０００１】
本発明は、骨に振動を伝達させて使用者に音声を認識させる骨伝導方式の体内埋込型スピーカに関するものである。
【背景技術】
【０００２】
近年、補聴器、携帯電話、オーディオ用スピーカとして、使用者の頭骨に振動を伝達させて使用者に音声を認識させる骨伝導方式のスピーカが実用化されている。
【０００３】
従来のこの種の骨伝導スピーカとしては、例えば、特許文献１に記載されているようなものがある。この特許文献１に記載された技術では、音情報に応じて振動を発生させる振動発生手段を備え、この振動発生手段を体外から頭骨に押し当てることによって、使用者に音声を伝えている。
【０００４】
また、振動を直接骨に伝達させるものとして特許文献２に記載されているようなものがある。この特許文献２に記載された技術では、磁石をケースに固定することで振動発生手段を構成している。そして、この振動発生手段を頭骨に固定して、振動を直接頭骨に伝達させることで、使用者に音声を伝えている。
【０００５】
【特許文献１】特開２００８−１７３９９号公報
【特許文献２】特開昭６１−２７３１００号公報
【発明の開示】
【発明が解決しようとする課題】
【０００６】
しかしながら、特許文献１に記載された技術では、体外から振動発生手段を頭骨に押し当てることによって、振動発生手段の振動を、皮膚を介して頭骨に伝達させて、音声を聴く構成となっている。そのため、皮下脂肪が厚い人や骨が出ていない人は、振動が皮膚等によって吸収され、振動を頭骨へ効率的に伝えることができなかった。その結果、特許文献１に記載された技術では、音声の伝わり具合が使用者の体型等に大きく左右されていた。更に、振動を効率的に頭骨へ伝えるためには、振動発生手段を体外から頭骨へ強く押し当てなくてはならず、使用者への負担が非常に大きい、という問題があった。
【０００７】
また、特許文献２に記載された技術では、振動発生手段に設けられた骨ねじを頭骨にねじ込むことで、振動発生手段を頭骨に固定している。その結果、振動発生手段を頭骨へ固定するために、大がかりな手術が必要であった。更に、特許文献２に記載された技術では、磁石をケースに固定することで振動発生手段を構成し、振動発生手段全体を振動させている。そして、この振動発生手段は、頭骨に固定されるため、振動発生手段の振動がケースや頭骨等によって規制され、振動発生手段を効率的に振動させることができない。その結果、特許文献２に記載された技術では、使用者に明りょうな音声を伝達することが困難である、という問題もあった。
【０００８】
本発明の目的は、上記の問題点を考慮し、振動が皮膚等で吸収されることがなく、使用者に明りょうな音声を伝達することができる体内埋込型スピーカを提供することにある。
【課題を解決するための手段】
【０００９】
上記課題を解決し、本発明の目的を達成するため、本発明の体内埋込型スピーカは、音声信号を送信する送信用コイルを有する送信装置と、この送信装置からの信号を受信する受信装置と、を備えた。そして、受信装置は、皮膚と骨の間に埋め込まれる中空のケース及び該ケース内に収納されると共に振動可能に支持された振動体とを有している。
【発明の効果】
【００１０】
本発明の体内埋込型スピーカによれば、受信装置の振動を直接使用者の骨に伝達することができるため、使用者の体型等に左右されることなく、音声を使用者に伝えることができる。また、振動体を中空のケース内に収納することにより、効率的に振動体を振動させることができるため、音声の劣化を抑制することができ、明りょうな音声を使用者に伝達することができる。
【発明を実施するための最良の形態】
【００１１】
以下、本発明の体内埋込型スピーカの実施形態例について、図１〜図１０を参照して説明する。なお、各図において共通の部材には、同一の符号を付している。また、本発明は、以下の形態に限定されるものではない。
【００１２】
１．第１の実施の形態
［体内埋込型スピーカの構成］
まず、図１〜図４を参照して本発明の第１の実施の形態例（以下、「本例」という。）にかかる体内埋込型スピーカについて説明する。図１は本例の体内埋込型スピーカを示す斜視図、図２（Ａ）及び図２（Ｂ）は本例の体内埋込型スピーカにかかる送信装置を示す模式図である。図３及び図４は本例の体内埋込型スピーカにかかる受信装置を示す図である。
【００１３】
図１に示すように、体内埋込型スピーカ１は、体外（例えば、耳Ｅの裏）にセットされる送信装置２と、人体の皮膚Ｓと骨Ｂ（例えば、頭骨）の間に埋め込まれる受信装置３とから構成されている。なお、受信装置３が埋め込まれる場所としては、例えば蝸牛Ｔの近傍である耳Ｅの裏などが挙げられる。この体内埋込型スピーカ１は、送信装置２から受信装置３に非接触で音声信号（磁場又は電波）を送り、受信装置３を振動させて音信号を振動として使用者の骨Ｂへ伝達させるものである。
【００１４】
［送信装置］
図２（Ａ）に示すように、送信装置２は、中空をなす略円筒状の筐体６と、電源ユニット７と、送信用コイル８とから構成されている。電源ユニット７と送信用コイル８は、筐体６の内部空間に収納されている。この送信装置２は、図示しないマイクロフォンで集音した音声や情報記憶媒体に予め記憶された音声を、送信用コイル８を用いて受信装置３に送信する。なお、本例にかかる送信装置２では、電源ユニット７から送信用コイル８に電流を供給することによって磁場を形成している。そして、送信用コイル８によって形成した磁場の変化を音声信号として受信装置３へ送信している。
【００１５】
また、図２（Ｂ）に示すように、この送信装置２は、耳掛けアーム９を備えている。耳掛けアーム９は、筐体６から延出され、耳Ｅに装着される形状にされている。この耳掛けアーム９を耳Ｅに掛けることによって、手を添えずに筐体６を耳Ｅの裏にセットすることができる。
【００１６】
［受信装置］
図３及び図４に示すように、受信装置３は、中空をなすケース１１と、このケース１１内に収納される振動体１２と、振動体１２を振動可能に支持する２つの支持ワイヤ１３，１３とを有している。
【００１７】
ケース１１は、中空をなす略円筒形に形成されている。このケース１１は、筒体１４と、第１の蓋体１５と、第２の蓋体１６とから構成されている。本例では、ケース１１の直径は、３ｍｍ〜４ｍｍに設定されている。なお、ケース１１の直径を３ｍｍ以下あるいは４ｍｍ以上に設定してもよいことは、勿論である。
【００１８】
筒体１４は、略円筒形に形成されており、長手方向に貫通する筒孔１４ａを有している。この筒体１４の材質としては、例えば生体適合ガラス等の生体組織になじむ材質が挙げられる。
【００１９】
第１の蓋体１５は、略半球状の基部１５ａと、この基部１５ａの一面から突出する嵌合部１５ｂとを有している。嵌合部１５ｂは、略円柱状をなしており、その一面には２つの凹部１７，１７が設けられている。この嵌合部１５ｂは、筒体１４における筒孔１４ａの一側の開口部に嵌め込まれる。そして、第１の蓋体１５は、接着剤等の固定方法により固定されて筒体１４と一体に取り付けられている。
【００２０】
また、第２の蓋体１６は、第１の蓋体１５と同様に、略半球状の基部１６ａと、この基部１６ａの一面から突出する嵌合部１６ｂとを有している。嵌合部１６ｂは、略円柱状をなしており、その一面には２つの凹部１７，１７が設けられている。この嵌合部１６ｂは、筒体１４における筒孔１４ａの他側の開口部に嵌め込まれる。そして、第２の蓋体１６は、接着剤等の固定方法により固定されて筒体１４と一体に取り付けられている。このような構成を有するケース１１の内部空間には、振動体１２と２つの支持ワイヤ１３，１３が収納されている。
【００２１】
振動体１２は、直方体として形成されており、略長方形をなす主面部１２ａを有している。なお本例では、振動体１２を、ネオジウム磁石等からなる永久磁石としている。振動体１２の主面部１２ａにおける短手方向の両側には、２つの支持ワイヤ１３，１３が主面部１２ａの長手方向と略平行に配設されている。
【００２２】
なお、本例では、振動体として磁石を用いた例を説明したが、これに限定されるものではない。すなわち、振動体は、外部からの磁界によって駆動力を発生する磁性体であれば、特に材質は限定されるものではなく、例えば、フェライト磁石や鉄芯等を用いることも可能である。
【００２３】
支持部材の一具体例を示す２つの支持ワイヤ１３，１３は、弾性を有する線材として形成されている。そして、２つの支持ワイヤ１３，１３は、軸方向の略中央が接着剤１９等の固定方法により振動体１２に固定されている。すなわち、振動体１２は、その短手方向の両端の２点が接着剤１９によって２つの支持ワイヤ１３，１３に接着されている。これにより、２つの支持ワイヤ１３，１３と振動体１２が一体に取り付けられている。なお、振動体１２と２つの支持ワイヤ１３，１３の固定方法は、接着剤による接着以外に抵抗溶接や超音波溶接手段や、ネジ留め等の締結手段を用いてもよい。また、２つの支持ワイヤ１３，１３におけるそれぞれの両端は、第１の蓋体１５及び第２の蓋体１６に設けた凹部１７，１７に挿入され、接着剤等の固定方法によって固定されている。
【００２４】
このように、振動体１２は、２つの支持ワイヤ１３，１３に点で支持され、ケース１１内に浮いた状態で収納される。そのため、振動体１２の振動動作がケース１１によって規制されることを抑制できる。その結果、振動体１２を効率よく振動させることができ、使用者に明りょうな音声を伝達することができる。また、支持ワイヤ１３の弾性係数を変化させることで、振動体１２の周波数を容易に変化させることができる。その結果、振動体１２の周波数を所望の周波数に設定することができ、使用者に明りょうな音声を伝達することを可能としている。
【００２５】
また、使用者の歩行等によって生じる外部からの振動を２つの支持ワイヤ１３の弾性力によって吸収することができる。そのため、振動体１２が使用者の意図に反してケース１１内で振動することを抑制でき、雑音や異音が発生することを防止できる。
【００２６】
なお、本例では、支持部材の一具体例として弾性を有する線材である支持ワイヤを用いた例を説明したが、これに限定されるものではない。例えば、板ばね等の弾性を有するものであれば、支持部材として適用できるものである。
【００２７】
更に、振動体１２及び２つの支持ワイヤ１３，１３が収納されたケース１１内には、ウレタン樹脂やシリコン等のゲル状の緩衝部材が充填されている。これにより、外部からの振動を、支持ワイヤ１３，１３だけでなく緩衝部材によっても吸収することができる。その結果、振動体１２が使用者の意図に反してケース１１内で振動することを抑制でき、雑音や異音が発生することをより効果的に防止することが可能である。なお、ケース１１内にゲル状の緩衝部材を充填しなくても、本発明の目的は達成できるものである。
【００２８】
ここで、ケース１１の直径を３ｍｍ〜４ｍｍに設定し、受信装置３を細長い筒状に形成している。そのため、受信装置３を、人体における皮膚Ｓと骨Ｂの間に、例えば注射器を用いて埋め込むことが可能である。よって、大がかりな手術を行わずに受信装置３を容易に体内に埋め込むことができるため、使用者の負担を非常に軽くすることができる。また、振動体１２を有する受信装置３を使用者の皮膚Ｓと骨Ｂの間に埋め込むことにより、使用者の骨Ｂに直接振動を伝達することができる。その結果、本発明の体内埋込型スピーカ１は、皮膚の厚さ等の使用者の体型に左右されることなく、音声を伝達することを可能としている。
【００２９】
［受信装置の組み立て］
受信装置３は、例えば次のようにして組み立てることができる。まず、振動体１２における主面部１２ａの短手方向の両側に、２つの支持ワイヤ１３，１３を主面部１２ａの長手方向と略平行に配置する。次に、振動体１２における長手方向の略中央に、２つの支持ワイヤ１３，１３の軸方向の略中央を接着剤１９によって接着する。これにより、振動体１２と２つの支持ワイヤ１３，１３が一体に固定される。
【００３０】
次に、振動体１２が固定された２つの支持ワイヤ１３，１３の軸方向の一端を、第１の蓋体１５の２つの凹部１７，１７に挿入し、接着剤等の固定方法によって固定する。そして、２つの支持ワイヤ１３，１３が取り付けられた第１の蓋体１５の嵌合部１５ｂを、筒体１４における筒孔１４ａの一側の開口部に嵌め込む。この嵌め合わされた第１の蓋体１５と筒体１４を接着剤等の固定方法により固定する。
【００３１】
次に、筒体１４の内部空間にゲル状の緩衝部材を注入する。そして、筒体１４の他側の開口を閉じるように、第２の蓋体１６の嵌合部１６ｂを筒孔１４ａに嵌め込む。このとき、２つの支持ワイヤ１３，１３の軸方向の他端は、第２の蓋体１６の２つの凹部１７，１７に挿入される。そして、この嵌め合わされた第２の蓋体１６と筒体１４を接着剤等の固定方法により一体に固定する。このとき、振動体１２が２つの支持ワイヤ１３，１３に振動可能に支持された状態で筒体１４の内部空間に収納される。これにより、受信装置３の組み立てが完了する。なお、受信装置３の組立方法は、上記した方法に限定されるものではなく、その他の手順で組み立ててもよいことは、勿論である。
【００３２】
［体内埋込型スピーカの動作］
次に、上述したような構成を有する体内埋込型スピーカ１の動作について説明する。まず、送信装置２は、図示しないマイクロフォンで集音した音声や情報記憶媒体に予め記憶された音声に基づいて、電源ユニット７から送信用コイル８に電流を供給する。送信用コイル８に電流が供給されることにより、磁場が形成される。ここで、送信用コイル８に磁場が形成されると、受信装置３の振動体１２には、フレミングの左手の法則により力が作用する。
【００３３】
更に、音声に基づいて送信用コイル８に供給する電流を変化させると、送信用コイル８によって形成される磁場も変化する。この送信用コイル８に生じた磁場の変化が、音声信号として受信装置３に供給される。送信用コイル８に生じる磁場が変化することで、振動体１２に働く力の大きさが変化し、振動体１２がケース１１内で振動する。この振動体１２の振動が受信装置３のケース１１に伝達され、使用者の骨Ｂに伝達される。そして、図１に示すように、使用者の骨Ｂに伝達された振動が骨Ｂを経て鼓膜の奥にある蝸牛Ｔに直接伝達されることで、使用者は、音声を認識することができる。また、本例に係る体内埋込型スピーカ１は、受信装置３の内部に複雑な電子回路等を収納することなく動作が可能であるので、故障等の発生が少なく信頼性に優れているという利点を有している。
【００３４】
なお、送信用コイル８に生じる磁場の変化を振動体１２に効率的に作用させるために、振動体１２の主面部１２ａを、送信用コイル８に生じる磁場における磁束の向きに対して略垂直に配置するとともに、該主面部１２ａを骨Ｂに対面させるように配置することが好ましい。
【００３５】
２．第２の実施の形態
次に、図５及び図６を参照して、本発明の体内埋込型スピーカの第２の実施の形態例について説明する。
図５は、第２の実施の形態にかかる体内埋込型スピーカの受信装置を示す斜視図、図６は、受信装置を示す分解斜視図である。
【００３６】
第２の実施の形態例にかかる体内埋込型スピーカは、第１の実施の形態例にかかる体内埋込型スピーカに対して受信装置の振動方法を変更したものである。なお、送信装置の送信用コイルは、音声振動を電波として受信装置に送信している。また、送信装置は、受信装置へ音声信号用の電波だけでなく電源用の電波も非接触で送信している。そして、送信装置の構成は、第１の実施の形態例にかかる送信装置と同様であるため、その説明は省略し、受信装置の構成について説明する。
【００３７】
［受信装置］
図５及び図６に示すように、受信装置２１は、中空のケース２２と、振動体２３と、基板２４と、給電コイル２６と、受信用コイル２７とを有している。
【００３８】
ケース２２は、第１の実施の形態例と同様に、中空をなす略円筒形に形成されている。このケース２２は、筒体２８と、第１の蓋体３１と、第２の蓋体３２とから構成されている。筒体２８は、上述した第１の実施の形態例にかかる筒体１４と同一の構成を有しているため、その説明は省略する。
【００３９】
第１の蓋体３１は、基部３１ａと、嵌合部３１ｂとを有している。更に、第１の蓋体３１には、嵌合部３１ｂに略円形状に凹んだ中空部３１ｃが設けられている。また、第２の蓋体３２は、第１の蓋体３１と同一の構成を有しており、基部３２ａと、嵌合部３２ｂと、中空部３２ｃとから構成されている。そして、このケース２２内には、振動体２３と、基板２４と、給電コイル２６と、受信用コイル２７が収納されている。
【００４０】
振動体２３は、略長方形状の主面部２３ａを有する略平板状の部材として形成されている。なお、振動体２３は、電圧によって変形する圧電素子を用いたものである。この振動体２３は、基板２４に振動可能に取り付けられている。
【００４１】
ここで、圧電素子を用いた振動体２３の構成とその動作について説明する。振動体２３は、薄手の圧電板の両面に電極膜が形成された一般的な圧電素子の構造を有している。この場合、圧電素子に外部からパルス状の信号電圧を印加すると、その信号電圧に応じた歪みを連続的に発生させることで振動を励起する。
【００４２】
基板２４は、略平板状をなしており、略中央には、略長方形状に開口した開口窓２４ａが設けられている。開口窓２４ａの開口面積は、振動体２３の主面部２３ａの面積よりも若干大きくなるように設定されている。また、開口窓２４ａの２つの長辺の略中央には、それぞれ接合部２４ｂ，２４ｂが設けられている。２つの接合部２４ｂ，２４ｂに、振動体２３が半田付けや接着等の固定方法によって固定され、振動体２３と基板２４が電気的及び機械的に接続されている。このとき、振動体２３と基板２４とを半田付けで固定する場合には、振動体２３と基板２４との電気的接続及び機械的接続を兼ねることが可能である。また、振動体２３と基板２４とを接着剤等によって固定する場合は、振動体２３と基板２４とをリード線等を用いて電気的に接続すればよい。これにより、振動体２３が、基板２４の開口窓２４ａ内で振動可能に支持される。
【００４３】
上述したように、基板２４の開口窓２４ａの開口面積を振動体２３よりもやや大きく設定しているため、振動体２３と基板２４の開口窓２４ａの間に隙間が生じる。そのため、振動体２３をケース２２内で浮いた状態で支持することができ、振動体２３の振動動作がケース２２によって規制されることを抑制できる。その結果、上述した第１の実施の形態例にかかる受信装置３と同様に、振動体１２を効率よく振動させることができ、使用者に明りょうな音声を伝達することができる。
【００４４】
更に、基板２４の長手方向の両端には、図示しない電子部品が実装される載置部２４ｃがそれぞれ設けられている。２つの載置部２４ｃは、電子部品が実装された状態で第１の蓋体３１の中空部３１ｃ及び第２の蓋体３２の中空部３２ｃ内に収納される。
【００４５】
給電コイル２６は、送信装置２から非接触電力伝送によって電源を供給されるものである。給電コイル２６を用いた送信装置２から受信装置２１への電源の供給は、次のようにして行われる。まず、送信装置２から磁束の変化を伴うような非接触電力伝送を行う。これにより、相互誘導により受信装置２１の給電コイル２６に電圧が生じ受信装置２１に電力が伝達される。これにより、受信装置２１内に振動体２３を振動させるための電源を設ける必要がなくなり、部品点数の削減を図ることが可能であると共に電源の交換を行う必要がなくなる。
【００４６】
また、給電コイル２６は、基板２４と電気的に接続されており、送信装置２から供給された電力を基板２４に供給している。そして、給電コイル２６は、第１の蓋体３１の嵌合部３１ｂの側面を覆うように取り付けられている。他の実施の形態例としては、給電コイル２６のコイル巻軸と、送信装置２に備えられた非接触電力伝送用コイル（図示せず）のコイル巻軸と合わせるように対向させてもよい。この場合は、送信用コイル８と給電コイル２６との磁気結合度が向上して、より効率的な電源確保を達成可能となる。
【００４７】
受信用コイル２７は、送信装置２の送信用コイル８から音声信号として送られる電波を受信するものである。そして、受信用コイル２７が受信した音声信号に基づいて振動体２３が振動する。受信用コイル２７は、第２の蓋体３２の嵌合部３２ｂの側面を覆うように取り付けられている。この場合においても、受信用コイル２７のコイル巻軸と、送信用コイル８のコイル巻軸とを合わせるように対向させることが望ましく、音声信号の感度が向上するという効果が得られる。
【００４８】
その他の構成は、上述した第１の実施の形態例にかかる受信装置３と同様であるため、それらの説明は省略する。このような構成を有する受信装置２１を備えた体内埋込型スピーカによっても、上述した第１の実施の形態例にかかる体内埋込型スピーカ１と同様の作用及び効果を得ることができる。
【００４９】
３．第３の実施の形態
次に、図７及び図８を参照して、本発明の体内埋込型スピーカの第３の実施の形態について説明する。
図７は、第３の実施の形態にかかる体内埋込型スピーカの受信装置の斜視図、図８は、受信装置を示す分解斜視図である。
【００５０】
この第３の実施の形態例にかかる体内埋込型スピーカと第１の実施の形態例にかかる体内埋込型スピーカと異なる点は、受信装置の形状を変更した点である。なお、送信装置の構成は、第１の実施の形態例にかかる送信装置と同一であるため、その説明は省略し、受信装置の構成について説明する。
【００５１】
［受信装置］
図７及び図８に示すように、受信装置４１は、略円盤状に形成されている。この受信装置４１は、中空をなすケース４２と、振動体４３と、２つの支持ワイヤ４４，４４と、支持ワイヤ４４を保持する２つの保持部材４６，４６とを有している。
【００５２】
ケース４２は、中空をなす略円盤状に形成されている。このケース４２は、筒体４７と、第１の蓋体４８と、第２の蓋体４９とから構成されている。本例では、ケース４２の直径を３ｍｍに設定しており、その厚さを１ｍｍに設定している。よって、ケース４２の厚さが極めて薄いため、大がかりな手術を行うことなく受信装置４１を容易に体内に埋め込むことが可能である。なお、ケース４２の直径を３ｍｍ未満あるいは３ｍｍ以上に設定してもよく、その厚さを１ｍｍ未満あるいは１ｍｍ以上に設定してもよいことは、言うまでもない。
【００５３】
筒体４７は、略円筒形に形成されており、上下方向に貫通する筒孔４７ａを有している。第１の蓋体４８と第２の蓋体４９は、略円板状に形成されており、その大きさが筒体４７の筒孔４７ａの開口部の開口面積と略等しくなるように設定されている。そして、第１の蓋体４８は、筒体４７における筒孔４７ａの一側の開口部に嵌合され、接着剤等の固定方法により筒体４７に固定されている。また、第２の蓋体４９は、筒体４７における筒孔４７ａの他側の開口部に嵌合され、接着剤等の固定方法により筒体４７に固定されている。
【００５４】
筒体４７、第１の蓋体４８及び第２の蓋体４９の材質としては、例えば生体適合ガラス等の生体組織になじむ材質が挙げられる。そして、ケース４２内に、振動体４３と、２つの支持ワイヤ４４，４４と、２つの保持部材４６，４６が収納されている。
【００５５】
なお、ケース４２における筒体４７と第１の蓋体４８及び第２の蓋体４９の角部を面取りしてもよい。これにより、受信装置４１を人体に埋め込んだ際に、ケース４２の角部によって生体組織を傷つけることを抑制することができる。
【００５６】
２つの保持部材４６，４６は、略円弧状をなす平板として形成されている。２つの保持部材４６，４６における円弧の弦にあたる一面には、所定の間隔を開けて２つの凹部４６ａ，４６ａが設けられている。この２つの保持部材４６，４６は、凹部４６ａ，４６ａが設けられた面を向かい合わせてケース４２内に収納されている。そして、２つの保持部材４６，４６の凹部４６ａには、弾性を有する支持ワイヤ４４の端部が挿入され接着剤等の固定方法によって固定されている。
【００５７】
２つの支持ワイヤ４４，４４は、２つの保持部材４６，４６を連結するように配設されている。この２つの支持ワイヤ４４，４４の間には、振動体４３が配置されている。振動体４３は、第１の実施の形態例と同様に、磁性体の一具体例を示す直方体に形成された永久磁石として構成されている。この振動体４３は、長手方向の両端の２点を接着剤５１によって接着することにより２つの支持ワイヤ４４，４４に固定されている。これにより、振動体４３は、２つの支持ワイヤ４４，４４によって振動可能に支持された状態でケース４２内に収納されている。
【００５８】
このような構成を有する受信装置４１は、第１の蓋体４８又は第２の蓋体４９が使用者の骨Ｂと対向するようにして、使用者の皮膚Ｓと骨Ｂの間に埋め込まれる。
【００５９】
なお、この実施の形態例にかかる受信装置４１によれば、第１の蓋体４８又は第２の蓋体４９が骨Ｂと対向するため、第１の実施の形態例にかかる受信装置３よりも、骨Ｂに当接又は接近する面積が増える。その結果、振動体４３の振動をより効率よく骨Ｂに伝達することができる。
【００６０】
その他の構成は、上述した第１の実施の形態例にかかる受信装置３と同様であるため、それらの説明は省略する。このような構成を有する受信装置４１を備えた体内埋込型スピーカによっても、上述した第１の実施の形態例にかかる体内埋込型スピーカ１と同様の作用及び効果を得ることができる。
【００６１】
４．第４の実施の形態例
次に、図９及び図１０を参照して本発明の体内埋込型スピーカの第４の実施の形態例について説明する。
図９は、第４の実施の形態にかかる体内埋込型スピーカの受信装置を示す斜視図、図１０は、受信装置を示す分解斜視図である。
【００６２】
［受信装置］
この第４の実施の形態例にかかる体内埋込型スピーカは、受信装置６１の振動方法が第２の実施の形態例にかかる受信装置２１と同一である。更に、受信装置６１の形状は、第３の実施の形態例にかかる受信装置４１と同様に、略円盤状に形成されている。
【００６３】
図９及び図１０に示すように、受信装置６１は、略円盤状をなす中空のケース６２と、振動体６３と、基板６４と、給電コイル６６と、受信用コイル６７と有している。ケース６２は、第３の実施の形態例に係る受信装置４１と同様に、略円筒形の筒体６９と、略円形の第１の蓋体７１と、略円形の第２の蓋体７２とから構成されている。
【００６４】
給電コイル６６は、ケース６２の軸方向の一側に配設されており、受信用コイル６７は、ケース６２の軸方向の他側に配設されている。また、給電コイル６６と受信用コイル６７の間には、基板６４が給電コイル６６と受信用コイル６７に挟まれるようにして配設されている。
【００６５】
基板６４は、ケース６２の形状に対応させて略円形に形成されている。この基板６４の略中央には、略長方形状の開口窓６４ａが設けられている。そして、開口窓６４ａの２つの長辺の略中央には、それぞれ接合部６４ｂ，６４ｂが設けられている。２つの接合部６４ｂ，６４ｂに、振動体２３が半田付け等の固定方法によって固定され、振動体６３と基板６４が電気的に接続されている。また、基板６４には、電子部品６８が実装されている。なお、振動体６３は、第２の実施の形態例にかかる振動体２３と同様に、圧電素子を用いたものである。
【００６６】
その他の構成は、上述した第２の実施の形態例にかかる受信装置２１及び第３の実施の形態例にかかる受信装置４１と同様であるため、それらの説明は省略する。このような構成を有する受信装置６１を備えた体内埋込型スピーカによっても、上述した第１の実施の形態例にかかる体内埋込型スピーカ１と同様の作用及び効果を得ることができる。
【００６７】
なお、本発明は上述しかつ図面に示した実施の形態に限定されるものではなく、特許請求の範囲に記載した発明の要旨を逸脱しない範囲内で種々の変形実施が可能である。例えば、受信装置の形状を角柱や小判型等として形成してもよい。なお、受信装置の形状を角柱とする際には、角部で生体組織が傷つかないようにするために、角部を面取りすることが好ましい。
【００６８】
また、上述した実施の形態例においては、送信装置および受信装置を、耳の裏に配置した例を説明したが、これに限定されるものではない。例えば、受信装置を顎骨や頬骨、歯骨内部、義歯内部等の骨中を伝わる振動が内耳に伝達可能な箇所であれば、好適に配置することが可能である。特に、歯骨内部，義歯内部に受信装置を配置する態様については、歯科施術によって埋め込むことが可能である点において、人体への負担が少ないという利点を有している。
【図面の簡単な説明】
【００６９】
【図１】本発明の体内埋込型スピーカの第１の実施の形態例の使用状態を模式的に示す説明図である。
【図２】本発明の体内埋込型スピーカの第１の実施の形態例にかかる送信装置を示すものであり、図２（Ａ）は送信装置を断面して示す説明図、図２（Ｂ）は送信装置を示す斜視図である。
【図３】本発明の体内埋込型スピーカにかかる受信装置の第１の実施の形態例を示す斜視図である。
【図４】本発明の体内埋込型スピーカにかかる受信装置の第１の実施の形態例を示す分解斜視図である。
【図５】本発明の体内埋込型スピーカにかかる受信装置の第２の実施の形態例を示す斜視図である。
【図６】本発明の体内埋込型スピーカにかかる受信装置の第２の実施の形態例を示す分解斜視図である。
【図７】本発明の体内埋込型スピーカにかかる受信装置の第３の実施の形態例を示す斜視図である。
【図８】本発明の体内埋込型スピーカにかかる受信装置の第３の実施の形態例を示す分解斜視図である。
【図９】本発明の体内埋込型スピーカにかかる受信装置の第４の実施の形態例を示す斜視図である。
【図１０】本発明の体内埋込型スピーカにかかる受信装置の第４の実施の形態例を示す分解斜視図である。
【符号の説明】
【００７０】
１…体内埋込型スピーカ、  ２…送信装置、  ３，２１，４１，６１…受信装置、  ６…筐体、  ７…電源ユニット、  ８…送信用コイル、  ９…耳掛けアーム、  １１，２２，４２，６２…ケース、  １２，４３…振動体（磁性体）、  １３，４４…支持ワイヤ（支持部材）、  １４，２８，４７，６９…筒体、  １５，３１，４８，７１…第１の蓋体、  １６，３２，４９，７２…第２の蓋体、  １５ａ，１６ａ，３１ａ…基部、  １５ｂ，１６ｂ，３１ｂ…嵌合部、  １７，４６ａ…凹部、  １９，５１…接着剤、  ２３，６３…振動体（圧電素子）、  ２４，６４…基板、  ２４ａ，６４ａ…開口窓、  ２４ｂ，６４ｂ…接合部、  ２６，６６…給電コイル、  ２７，６７…受信用コイル、  ３１ｃ，３２ｃ…中空部、  ４６…保持部材  Ｓ…皮膚、  Ｂ…骨、  Ｅ…耳、  Ｔ…蝸牛
【図１】
2010118877.tif 000003
【図２】
2010118877.tif 000004
【図３】
2010118877.tif 000005
【図４】
2010118877.tif 000006
【図５】
2010118877.tif 000007
【図６】
2010118877.tif 000008
【図７】
2010118877.tif 000009
【図８】
2010118877.tif 000010
【図９】
2010118877.tif 000011
【図１０】
2010118877.tif 000012